(57)【要約】【課題】転写部と定着部間の搬送ベルトにおいて、記録媒体におけるシワの発生を防ぎ、また厚紙の記録媒体が詰まるなどの搬送上のトラブルを防止する。【解決手段】転写ローラ２７などからなる転写部１２と、定着ローラ２８と加圧ローラ２９などからなる定着部１４との間に、駆動ローラ３０と従動ローラ３１と間に架設して搬送ベルト１５を配し、転写部１２における記録媒体搬送方向（矢印Ａ方向）の下流側と、搬送ベルト１５における記録媒体搬送方向の上流側との間に、用紙Ｐを転写部１２から搬送ベルト１５へ送る搬送ローラ３２を配設する。【選択図】図２
2008112118.tif 000002
【特許請求の範囲】
【請求項１】
記録媒体に画像を転写する転写部と、記録媒体の未定着画像に対して定着処理を行う定着部と、前記転写部と前記定着部との間に配設されて記録媒体を前記転写部から前記定着部へ搬送する搬送ベルトとを備えた記録媒体搬送装置において、
前記転写部における記録媒体搬送方向下流側と前記搬送ベルトにおける記録媒体搬送方向上流側との間に、記録媒体を前記転写部から前記搬送ベルトへ送る搬送ローラを配設したことを特徴とする記録媒体搬送装置。
【請求項２】
前記搬送ベルトに、ベルト面に記録媒体を吸引しながら搬送するための吸引ファンを設けたことを特徴とする請求項１記載の記録媒体搬送装置。
【請求項３】
前記搬送ローラと前記搬送ベルトとにおける記録媒体搬送路の一部をオーバーラップさせたことを特徴とする請求項１または２記載の記録媒体搬送装置。
【請求項４】
前記搬送ローラの端部に溝付きのフランジを設けたことを特徴とする請求項１または３記載の記録媒体搬送装置。
【請求項５】
前記搬送ローラの下方に、ローラ面に記録媒体を吸引しながら搬送するための吸引ファンを設けたことを特徴とする請求項１，３または４記載の記録媒体搬送装置。
【請求項６】
前記転写部における記録媒体搬送方向上流側に、記録媒体を前記転写部へ搬送ガイドする上ガイド部材と下ガイド部材を相対向して配設し、前記上ガイド部材の記録媒体ガイド面を、記録媒体が前記吸引ファンに近づくように該記録媒体を湾曲させる曲面形状にしたことを特徴とする請求項５記載の記録媒体搬送装置。
【請求項７】
前記上ガイド部材と前記下ガイド部材間における前記下ガイド部材側に、記録媒体が撓むことができる空間部分を設けたことを特徴とする請求項６記載の記録媒体搬送装置。
【請求項８】
前記下ガイド部材に弾性シートを設けたことを特徴とする請求項６または７記載の記録媒体搬送装置。
【請求項９】
記録媒体に画像を転写する前記転写部へ記録媒体を給紙するレジストローラの線速よりも、該レジストローラ近傍における記録媒体搬送方向上流側の搬送ローラの線速を速く設定したことを特徴とする請求項１〜７いずれか１項記載の記録媒体搬送装置。
【請求項１０】
前記レジストローラと前記搬送ローラとにおける前記線速の設定を、厚紙で小サイズの記録媒体を搬送する場合に設定可能にしたことを特徴とする請求項９記載の記録媒体搬送装置。
【請求項１１】
画像が形成される像担持体と、該像担持体から記録媒体に対して画像を転写する転写部と、記録媒体の未定着画像に対して定着処理を行う定着部とが設置された画像形成装置において、前記転写部と前記定着部間の記録媒体搬送路に、請求項１〜１０いずれか１項記載の記録媒体搬送装置を設置したことを特徴とする画像形成装置。
【発明の詳細な説明】
【技術分野】
【０００１】
本発明は、記録媒体を転写部から定着部へ搬送する搬送ベルトとを備えた記録媒体搬送装置、およびその記録媒体搬送装置が設置される画像形成装置に関するものである。
【背景技術】
【０００２】
一般的な画像形成装置においては、普通紙，特殊シート紙などの記録媒体（以下、用紙という）に転写されたトナー画像などを定着させるため、用紙の未定着画像に対して加圧，加熱して定着処理を行う定着装置が設けられている。
【０００３】
この種の定着部としては、特許文献１〜３に例示した構成のものの外、図１０に示すような画像形成装置に設けられる構成のものがある。
【０００４】
図１０に示す構成例は電子写真式のカラー画像形成装置であって、シアン，マゼンタ，イエロー，ブラックの各色に対応した４つの感光体１０１からトナー像が転写されて、表面にカラー画像を有する中間転写ベルト１０２から、転写部１０３において用紙Ｐに対して画像が転写され、該未定着画像を有する用紙Ｐを定着部１０４に搬送する構成である。
【０００５】
さらに本構成例のように、転写部１０３と定着部１０４間の転写紙搬送路において、ローラ１０５間に架設した搬送ベルト１０６を配し、この搬送ベルト１０６によって用紙Ｐを搬送する構成のものもある。
【特許文献１】特開平１１−２５５３６７号公報
【特許文献２】特開平１１−１０２０９２号公報
【特許文献３】特許第３５２６１８６号公報
【発明の開示】
【発明が解決しようとする課題】
【０００６】
ところで、最近、デジタルカメラ，カラースキャナの普及、および表計算ソフトのグラフのカラー表示化など、画像形成装置においてはカラー機の普及が加速しており、このカラー画像形成の普及に伴い、厚紙を用いて表紙やパンフレットなどを作成するというニーズが広がっている。
【０００７】
一般的な画像形成装置において、市場におけるニーズの高い厚紙を通紙したところ、紙が厚くなると、図１０を参照すれば、転写部１０３と定着部１０４間の搬送ベルト１０６上に用紙Ｐが詰まることが何回か発生した。このように用紙Ｐとして厚紙のみ搬送する場合を考えると、転写部１０３，搬送ベルト１０６，定着部１０４の各部間の段差をなくして水平に搬送すれば、搬送ベルト１０６でジャムが発生することは少ない。
【０００８】
しかし、転写部１０３，搬送ベルト１０６，定着部１０４を水平に近づけて配設すると、搬送ベルト１０６での摩擦が大きくなり用紙Ｐにおけるシワが発生し易くなる。通常の設定では普通紙が多く使用されるため、転写部１０３および定着部１０４よりも搬送ベルト１０６を低い位置に設定されている。
【０００９】
また、図１１に示す説明図のように、転写部１０３と定着部１０４間の距離がＬ１（Ｌ１＝２６５ｍｍ）、搬送ベルト１０６の搬送方向上流側端と定着部１０４間の距離がＬ２（Ｌ２＝２００ｍｍ）とすると、Ｌ２以下の用紙Ｐを搬送する場合、例えば、Ａ５ＬＥＦ（辺の長い方を搬送方向とする）、Ａ６ＳＥＦ（辺の短い方を搬送方向とする。送り長さ１４８ｍｍ）の場合、用紙Ｐの送り長さが短いため、用紙Ｐの先端が定着入口ガイド１０７の位置にあれば、その用紙Ｐ１の後端は搬送ベルト１０６上にあるため、用紙Ｐ１は良好に搬送されるが、Ａ４サイズとレターサイズの用紙Ｐ２をＬＥＦで送った場合、Ａ４が２１０ｍｍ，ＬＴが２１６ｍｍとなり、用紙Ｐ２の先端が定着入口ガイド１０７の位置にあり、また用紙Ｐ２の後端が転写出口ガイド１０８にあるため、厚紙などにおいては搬送ベルト１０６に用紙Ｐ２が接触しなくなるため、用紙不送り、あるいはジャムなどの不具合が発生してしまう。
【００１０】
本発明は、前記従来の課題を解決し、転写部と定着部間の搬送ベルトにおいて、記録媒体におけるシワの発生を防ぎ、また厚紙の記録媒体が詰まるなどの搬送上のトラブルを防止した記録媒体搬送装置および画像形成装置を提供することを目的とする。
【課題を解決するための手段】
【００１１】
前記目的を達成するため、請求項１に記載の発明は、記録媒体に画像を転写する転写部と、記録媒体の未定着画像に対して定着処理を行う定着部と、前記転写部と前記定着部との間に配設されて記録媒体を前記転写部から前記定着部へ搬送する搬送ベルトとを備えた記録媒体搬送装置において、前記転写部における記録媒体搬送方向下流側と前記搬送ベルトにおける記録媒体搬送方向上流側との間に、記録媒体を前記転写部から前記搬送ベルトへ送る搬送ローラを配設したことを特徴とし、この構成によって、転写部における記録媒体搬送方向下流側に搬送ローラを設けたため、搬送ベルトの搬送力不足を補うことができ、記録媒体の詰まりやシワの発生などの搬送ベルトの搬送力不足による搬送上のトラブルを未然に防止することができる。
【００１２】
請求項２に記載の発明は、請求項１記載の記録媒体搬送装置において、搬送ベルトに、ベルト面に記録媒体を吸引しながら搬送するための吸引ファンを設けたことを特徴とし、この構成によって、より安定して記録媒体を搬送することができる。
【００１３】
請求項３に記載の発明は、請求項１または２記載の記録媒体搬送装置において、搬送ローラと搬送ベルトとにおける記録媒体搬送路の一部をオーバーラップさせたことを特徴とし、この構成によって、搬送ローラと搬送ベルトとの間に無搬送部分がなくなり、不定形サイズの記録媒体においても、前記搬送上のトラブルを未然に防止することができる。
【００１４】
請求項４に記載の発明は、請求項１または３記載の記録媒体搬送装置において、搬送ローラの端部に溝付きのフランジを設けたことを特徴とし、この構成によって、搬送ローラのフランジにより、記録媒体の後端を確実に搬送ベルトへ導くことができる。
【００１５】
請求項５に記載の発明は、請求項１，３または４記載の記録媒体搬送装置において、搬送ローラの下方に、ローラ面に記録媒体を吸引しながら搬送するための吸引ファンを設けたことを特徴とし、この構成によって、搬送ローラの搬送力を高くしたため、記録媒体がカールしている場合などの変形状態にあっても搬送ベルトに吸引して、より良好に搬送することができる。
【００１６】
請求項６に記載の発明は、請求項５記載の記録媒体搬送装置において、転写部における記録媒体搬送方向上流側に、記録媒体を転写部へ搬送ガイドする上ガイド部材と下ガイド部材を相対向して配設し、上ガイド部材の記録媒体ガイド面を、記録媒体が吸引ファンに近づくように該記録媒体を湾曲させる曲面形状にしたことを特徴とし、この構成によって、記録媒体が吸引ファンに近づくように記録媒体に湾曲癖を付けることができるため、搬送ベルトの搬送力を高めることができる。
【００１７】
請求項７に記載の発明は、請求項６記載の記録媒体搬送装置において、上ガイド部材と下ガイド部材間における下ガイド部材側に、記録媒体が撓むことができる空間部分を設けたことを特徴とし、この構成によって、空間部分にて記録媒体に湾曲癖を支障なく形成させることができる。
【００１８】
請求項８に記載の発明は、請求項６または７記載の記録媒体搬送装置において、下ガイド部材に弾性シートを設けたことを特徴とし、この構成によって、薄紙通紙時、紙の腰が弱く用紙先端が重力方向に撓みが発生することを弾性シートの介在にて防止し、薄紙通紙時の紙の耳折れを防止することができる。
【００１９】
請求項９に記載の発明は、請求項１〜７いずれか１項記載の記録媒体搬送装置において、記録媒体に画像を転写する前記転写部へ記録媒体を給紙するレジストローラの線速よりも、該レジストローラ近傍における記録媒体搬送方向上流側の搬送ローラの線速を速く設定したことを特徴とし、この構成によって、記録媒体に湾曲癖をより確実に形成させることができる。
【００２０】
請求項１０に記載の発明は、請求項９記載の記録媒体搬送装置において、レジストローラと搬送ローラとにおける線速の設定を、厚紙で小サイズの記録媒体を搬送する場合に設定可能にしたことを特徴とし、この構成によって、薄紙通紙におけるトラブルが生じないようにすることができる。
【００２１】
請求項１１に記載の発明は、画像が形成される像担持体と、該像担持体から記録媒体に対して画像を転写する転写部と、記録媒体の未定着画像に対して定着処理を行う定着部とが設置された画像形成装置において、前記転写部と前記定着部間の記録媒体搬送路に、請求項１〜１０いずれか１項記載の記録媒体搬送装置を設置したことを特徴とし、信頼性のある定着が行われ、高画質で安定した画像形成が実現する。
【発明の効果】
【００２２】
本発明に係る記録媒体搬送装置によれば、転写部における記録媒体搬送方向下流側に搬送ローラを設けたため、定着部へ記録媒体を送る搬送ベルトの搬送力不足を補うことができ、記録媒体の詰まりやシワの発生などの搬送ベルトの搬送力不足による搬送上のトラブルを未然に防止することができ、よって、信頼性のある定着が行われる。
【００２３】
また、本発明に係る画像形成装置によれば、本発明に係る記録媒体搬送装置を設置したことにより、信頼性のある定着が行われ、高画質で安定した画像形成が実現する。
【発明を実施するための最良の形態】
【００２４】
以下、本発明の実施の形態を図面に基づいて説明する。
【００２５】
図１は本発明に係る画像形成装置の実施形態であるカラー画像形成装置の概略構成図であって、後述する本発明に係る記録媒体搬送装置を備えた定着装置を搭載可能な構成である。
【００２６】
図１において、装置本体の略中央に画像形成部１が配置されている。この画像形成部１の下方に用紙Ｐを収納する複数段（本例では４段）の給紙カセット２ａからなる給紙部２が配置され、画像形成部１の上方には原稿を読み取る読取部３が配設されている。また、画像形成部１の左側に排紙トレイ４が設けられ、画像形成された用紙Ｐが排紙される。
【００２７】
画像形成部１において、ベルト状をなす中間転写ベルト５の上側に４つの作像部６Ｙ，６Ｍ，６Ｃ，６ＢＫが配置されている。各作像部６Ｙ〜６ＢＫでは、それぞれ感光体７の周囲に、感光体７の表面に帯電処理を行う帯電装置８と、画像情報を感光体７の表面にレーザ光で照射する露光装置９と、感光体７の表面に露光されて形成された静電潜像を可視化する現像装置１０と、感光体７に残留するトナーを除去回収するクリーニング装置１１が配置されている。なお、作像部６Ｙを代表して各部の説明をしたが、全作像部６Ｙ〜６ＢＫ共に同様な構成になっている。
【００２８】
作像プロセスは、中間転写ベルト５が１回転して１つのカラー像を形成するものであり、４つの作像部６Ｙ〜６ＢＫにおいて、本例では、最初にイエローの作像部６Ｙでイエローのトナーを現像して中間転写ベルト５に転写する。次にマゼンタの作像部６Ｍでマゼンタのトナーを現像して中間転写ベルト５に転写し、その後、シアンの作像部６Ｃでシアンのトナーを現像して中間転写ベルト５に転写し、最後にブラックの作像部６ＢＫでブラック（ＢＫ）のトナーを現像して中間転写ベルト５に転写する。
【００２９】
中間転写ベルト５に転写された各色のトナー像にて、中間転写ベルト５上にカラー像が形成され、このカラー像が転写部１２にて用紙Ｐに転写される。転写後の中間転写ベルト５の表面に残留するトナーは中間転写クリーニング装置１３によって除去回収される。
【００３０】
カラー像が転写された用紙Ｐに対して、加熱，加圧して定着処理を行う定着部１４が画像形成部１の転写部１２における用紙搬送路下流側に配置され、転写部１２と定着部１４間に、転写後の用紙Ｐを転写部１２から定着部１４へ搬送する搬送ベルト１５が配設されている。
【００３１】
給紙部２においては、各給紙カセット２ａに用紙Ｐが収容されており、使用が選択された用紙Ｐがピックアップローラ１６により給紙され、搬送ローラ１７にてレジストローラ１８へと搬送される。レジストローラ１８は、用紙Ｐの搬送を一旦止め、中間転写ベルト５表面のカラー像と用紙Ｐ先端との位置関係が所定の位置になったときに、タイミングをとって回転し、用紙Ｐを転写部１２へ搬送するように制御される。
【００３２】
両面印刷時には、分岐部１９によって表面に画像形成された用紙Ｐが分岐され、両面装置２０を経由して用紙Ｐの表裏面が反転され、レジストローラ１８で用紙Ｐが中間転写ベルト５に給紙され、画像形成部１において用紙Ｐの裏面に対する画像形成が行われる。
【００３３】
前記読取部３では、コンタクトガラス２１上に載置あるいは移動される原稿の読取走査を行うために、原稿照明用光源とミラーよりなる読取走行体２２が往復移動する。この読取走行体２２により走査された画像情報は、レンズ２３の後方に設置されているＣＣＤ２４にて光電変換され、画像信号として読み込まれる。読み込まれた画像信号はデジタル化され画像処理される。
【００３４】
画像処理された信号に基づいて、露光装置９内のレーザダイオード（図示せず）から出射される光信号により、各作像部６Ｙ〜６ＢＫの感光体７の表面に静電潜像が形成される。レーザダイオードからの光信号は、公知のポリゴンミラーやレンズを介して各感光体７に入射して表面を露光する。
【００３５】
読取部３の上方に、原稿を自動的にコンタクトガラス２１上に搬送する自動原稿搬送装置２５が取り付けられている。
【００３６】
本実施形態のカラー画像形成装置は、上述したように原稿を走査して読み取り、読取信号をデジタル化して用紙Ｐに複写する、いわゆるデジタルカラー複写機としての機能の他に、図示せぬ制御装置により原稿の画像信号を遠隔地と授受するようなファクシミリの機能、あるいはコンピュータにて作成された画像信号を用紙Ｐにプリントアウトするプリンタの機能を有する多機能の画像形成装置である。いずれの機能が動作する場合にも前記画像形成が行われて、形成された画像は全て一つの排紙トレイ４に排出される。
【００３７】
また分岐部１９にて、分岐され両面装置２０を経由して用紙Ｐを反転させ、反転排紙ローラなどを経由して排紙ローラ２６から排出された場合、排紙トレイ４に排紙された用紙Ｐは画像面が下面になった状態であり、複写，ファクシミリ，プリンタで扱う原稿の処理順が１ページから行われて印刷されても、排紙トレイ４から取り出したとき、１ページ目が最上になっており、改めてページを揃えるなどの作業をなくすことができる。
【００３８】
なお、図中の４０は用紙Ｐを手差しする手差し用トレイ、４１は手差し用トレイ４０の用紙Ｐをレジストローラ１８へ搬送する中継用の搬送ローラ、４２は給紙部２の搬送ローラ１７からの用紙Ｐをレジストローラ１８へ搬送する中継用の搬送ローラである。
【００３９】
本実施形態では、画像形成部１の転写部１２と定着部１４間の用紙搬送路において、厚紙の紙詰まりなどの用紙（記録媒体）搬送上のトラブルを防止するための構成になっている。
【００４０】
以下、本発明に係る転写部と定着部間に設けられる記録媒体搬送装置の実施形態の構成について説明する。なお、以下の説明において、図１にて説明した部材に対応する部材には同一符号を付して詳しい説明は省略する。
【００４１】
図２は本発明に係る記録媒体搬送装置の実施形態１の要部を拡大して示す構成図であり、画像形成部１における転写ローラ２７からなる転写部１２と、定着ローラ２８と加圧ローラ２９とからなる定着部１４との間に、駆動ローラ３０と従動ローラ３１とに架設されている搬送ベルト１５が配設され、転写部１２における記録媒体搬送方向（矢印Ａ方向）の下流側と、搬送ベルト１５における記録媒体搬送方向の上流側との間に、用紙Ｐを転写部１２から搬送ベルト１５へ送る搬送ローラ３２を配設している。
【００４２】
さらに、搬送ベルト１５の周側には通孔を形成し、駆動ローラ３０と従動ローラ３１間の搬送ベルト１５内部に吸引ファン３３を設け、この吸引ファン３３が、搬送ベルト１５にて搬送される用紙Ｐを搬送ベルト１５に吸引するようにして、確実に用紙Ｐを搬送することができるようにしている。
【００４３】
例えば、用紙Ｐの先端が定着入口ガイド３４の位置にあり、用紙Ｐの後端が転写出口ガイド３５にあって、両ガイド間に跨るようなサイズの厚紙用紙を搬送する場合においても、搬送ローラ３２の搬送力により用紙Ｐの後端を搬送ベルト１５まで確実に搬送することができ、さらに搬送ベルト１５において、吸引ファン３３によって用紙Ｐを吸引して搬送するため、より安定かつ確実に定着部１４まで搬送することができるようになる。
【００４４】
図３は本発明に係る記録媒体搬送装置の実施形態２の要部を拡大して示す構成図であり、実施形態２が実施形態１と異なる点は、搬送ローラ３２と搬送ベルト１５との位置をオーバーラップさせることにより、この部位における用紙搬送路の一部をオーバーラップさせた構成にある。このため、用紙Ｐが、その先端が定着入口ガイド３４の位置にあり、かつ後端が転写出口ガイド３５に跨るような不定形サイズの厚紙であっても、搬送ローラ３２と搬送ベルト１５間には無搬送部分がなくなり、搬送ローラ３２の搬送力により用紙Ｐの後端を搬送ベルト１５まで送ることができる。
【００４５】
また、前記搬送ローラ３２としては、図４に示す斜視図のように、搬送ローラ３２の端部に溝付きのフランジ３６を設けるようにしてもよい。このようなフランジ３６を設けて用紙Ｐの後端を送り出すようにすることにより、用紙Ｐを搬送ベルト１５に確実に導くことができるようになる。例えば、フランジ３６の突出量は１ｍｍとし、フランジ３６の外周には２４°ごとに計１５個の切欠き溝を設けることなどが考えられる。
【００４６】
図５は本発明に係る記録媒体搬送装置の実施形態３の要部を拡大して示す構成図であり、実施形態３が実施形態１，２と異なる点は、搬送ローラ３２の下部に吸引ファン３７を設置した構成であって、この吸引ファン３７によって、厚紙通紙時に搬送ローラ３２の表面に用紙Ｐを吸引することによって、搬送ローラ３２の搬送力を高くすることができる。
【００４７】
図６は本発明に係る記録媒体搬送装置の実施形態４の要部を拡大して示す構成図であり、実施形態４では、転写部１２における用紙搬送方向の上流側、本例ではレジストローラ１８における用紙搬送方向の上流側に、用紙Ｐを下流側に搬送ガイドする上ガイド板４５と下ガイド板４６ａ，４６ｂとを相対向して配設しており、上ガイド板４５の用紙ガイド下面を、下方へ突出するアーチ状の曲面形状にしている。
【００４８】
このため、図７に示すように、用紙ガイド下面が平坦面であれば、搬送ガイドされる用紙Ｐ３は撓むことなくストレートに給紙されるが、用紙ガイド下面が曲面形状であることから、用紙Ｐ４は下向きに湾曲した癖が付けられて給紙されることになる。
【００４９】
したがって、実施形態４では、搬送された用紙Ｐ４に対して、上ガイド板４５のアーチ状のガイド下面にて、下向きに湾曲した癖が付けられて転写部１２へ給紙されることになり、この用紙Ｐ４の湾曲方向は、用紙Ｐ４が吸引ファン３７側に近づくような形状になるため、用紙Ｐ４に対する搬送ベルト１５の搬送力をより高めることができる。
【００５０】
図８は本発明に係る記録媒体搬送装置の実施形態５の要部を拡大して示す構成図であり、実施形態５が実施形態４と異なる点は、上ガイド板４５の下方に配設された下ガイド板４６ａ，４６ｂの上部を、用紙Ｐに支障なく湾曲癖が付くように空間部４７を設けた構成である。本例では一方の下ガイド板４６ａの上部のみに空間部４７を大きく取っているが、両下ガイド板４６ａ，４６ｂの上部に空間部を設けるようにしてもよい。
【００５１】
実施形態４，５において、レジストローラ１８に対して用紙搬送方向上流側の中継用の搬送ローラ４１，４２の線速を、レジストローラ１８の線速よりも１０％程度以上速くなるように設定することにより、さらに効果的に用紙Ｐに湾曲癖をつけることができて、吸引ファン３７側に用紙Ｐをより確実に近づけることができるようになる。
【００５２】
前記実施形態のように用紙Ｐに湾曲癖をつける構成を採用した場合、厚紙で大サイズの用紙（送り長さ２６５ｍｍ）では、レジストローラ１８より用紙搬送方向上流側の中継用の搬送ローラ４１，４２においてローラスリップが発生して、ローラ跡が発生するような紙質の用紙Ｐがある。この現象は、特に、Ａ３やＤＬＴサイズにおいて顕著に目立つ。このため、用紙Ｐに湾曲癖をつける構成は、送り長さ２６５ｍｍ以下で、かつ厚紙に限定することによって、厚紙大サイズ紙に発生する不具合を未然に防ぐことができる。
【００５３】
図９は本発明に係る記録媒体搬送装置の実施形態６の要部を拡大して示す構成図であり、実施形態６が実施形態５と異なる点は、一方の下ガイド板４６ｂから他方の下ガイド板４６ａに向って延出する弾性シート４８を設けた構成であって、この弾性シート４８の存在により、薄紙通紙時において、薄紙の腰が弱く用紙先端が重力方向に撓むことにより発生する耳折れを防止ことができる。また、厚紙通紙時には、弾性シート４８が撓むため上記の搬送が支障なく継続する。
【００５４】
前記実施形態１〜６の記録媒体搬送装置の構成を図１にて説明したような電子写真式の複写機，レーザービームプリンタ，ファクシミリ装置としての画像形成装置に用いた場合、送り長さの短い厚紙などでも、搬送ベルト１５上でジャムすることなく搬送することができるため、定着が安定かつ確実に行われ、よって、高画質で信頼性のある画像形成が行われることになる。
【産業上の利用可能性】
【００５５】
本発明は、記録媒体を、転写部と定着部間において搬送ベルトにて搬送する画像形成装置に適用され、例えば電子写真複写機，レーザービームプリンタ，ファクシミリ装置などの画像形成部に実施して有効である。
【図面の簡単な説明】
【００５６】
【図１】本発明に係る画像形成装置の実施形態であるカラー画像形成装置の概略構成図
【図２】本発明に係る記録媒体搬送装置の実施形態１の要部を拡大して示す構成図
【図３】本発明に係る記録媒体搬送装置の実施形態２の要部を拡大して示す構成図
【図４】本実施形態に用いられる搬送ローラの変形例を示す斜視図
【図５】本発明に係る記録媒体搬送装置の実施形態３の要部を拡大して示す構成図
【図６】本発明に係る記録媒体搬送装置の実施形態４の要部を拡大して示す構成図
【図７】本実施形態における用紙の湾曲癖についての説明図
【図８】本発明に係る記録媒体搬送装置の実施形態５の要部を拡大して示す構成図
【図９】本発明に係る記録媒体搬送装置の実施形態６の要部を拡大して示す構成図
【図１０】従来の記録媒体搬送装置の要部を拡大して示す構成図
【図１１】図６の従来の記録媒体搬送装置における課題を説明するための説明図
【符号の説明】
【００５７】
１  画像形成部
１２  転写部
１４  定着部
１５  搬送ベルト
１８  レジストローラ
２７  転写ローラ
２８  定着ローラ
２９  加圧ローラ
３２  搬送ローラ
３３  吸引ファン
３４  定着入口ガイド
３５  転写出口ガイド
３６  フランジ
３７  吸引ファン
４１，４２  中継用の搬送ローラ
４５  上ガイド板
４６ａ，４６ｂ  下ガイド板
４７  空間部
４８  弾性シート
【図１】
2008112118.tif 000003
【図２】
2008112118.tif 000004
【図３】
2008112118.tif 000005
【図４】
2008112118.tif 000006
【図５】
2008112118.tif 000007
【図６】
2008112118.tif 000008
【図７】
2008112118.tif 000009
【図８】
2008112118.tif 000010
【図９】
2008112118.tif 000011
【図１０】
2008112118.tif 000012
【図１１】
2008112118.tif 000013